(57)【要約】【課題】  本発明は折りたたみ椅子の座板の下側にあって、折りたたみ動作に連動し、且つ荷棚の両側面と後方面に対する荷物の落下と盗難を防止することができる折りたたみ椅子用荷棚装置を提供することである。【解決手段】  折りたたみ椅子の左右前後の脚に可動状態に係止された座板の下側に、該座板との間に手荷物を載置する区画を確保し且つ前記左右前後の脚間に配設する荷棚と、該荷棚の左右側辺に有する前記左右前後の脚に係わるスライド機構を備えた側部落下防止手段と、前記左右前後の脚に、前記スライド機構と合致する係止具を備えた折りたたみ椅子用荷棚装置である。【選択図】図１
2018069010.tif 000002
【特許請求の範囲】
【請求項１】
折りたたみ椅子の左右前後の脚に可動状態に係止された座板の下側に、該座板との間に手荷物を載置する区画を確保し且つ前記左右前後の脚間に配設する荷棚と、
該荷棚の左右側辺に有する前記左右前後の脚に係わるスライド機構を備えた側部落下防止手段と、
前記左右前後の脚に、前記スライド機構と合致する係止具を備えた折りたたみ椅子用荷棚装置。
【請求項２】
折りたたみ椅子の左右前後の脚に可動状態に係止された座板の下側に、該座板との間に手荷物を載置する区画を確保し且つ前記左右前後の脚間に配設する荷棚と、
該荷棚の左右側辺に有する前記左右前後の脚に係わるスライド機構を備えた側部落下防止手段と、
前記左右前後の脚のそれぞれに備えた前記スライド機構と合致する係止具と、
前記荷棚の後辺に後部落下防止手段を備えた折りたたみ椅子用荷棚装置。
【請求項３】
前記スライド機構は、側部落下防止体に形成した長孔と、該長孔に合致する前記左右前後の脚に備えた係止具である請求項１又は２に記載の折りたたみ椅子用荷棚装置。
【請求項４】
前記スライド機構は、上段のみを長孔とし下段は前記前脚に軸着、または下段のみを長孔とし上段は前記後脚に軸着とする請求項１から３のいずれかに記載の折りたたみ椅子用荷棚装置。
【請求項５】
前記左右の後脚の間に、前記荷棚と別体の後部落下防止手段を備えた請求項１から４のいずれかに記載の折りたたみ椅子用荷棚装置。
【発明の詳細な説明】
【技術分野】
【００１】  本発明は、折りたたみ椅子の座板の下側に設けた、荷物の落下及び盗難を防止できる荷棚であり、椅子を折りたたみ動作に動作に連動してたためる荷棚装置に関する。
【背景技術】
【００２】  従来より座板の下に荷棚が設けられた折りたたみ椅子が出願れているが、この荷棚の両側方向と後方向に、荷物の落下及び盗難を防止できる手段を設けた折りたたみ椅子はなかった。
【先行技術文献】
【特許文献】
【０００３】
【特許文献１】  特開第２０１３−１１６２７８号
【０００４】
【特許文献２】  特開第２０１４−２３０６７７号
【発明の概要】
【発明が解決しようとする課題】
【００５】  本発明の解決課題は、折りたたみ椅子を使用する環境には、各種のイベントや講演会などのように不特定多数の人が集うことが多く、このようなときに折りたたみ椅子を利用する人にとって、手荷物の置き場所がないので不便であり、また椅子に座っているときは前方に注意がそそがれているために、後方からの盗難に対して全く無防備になってしまう。
例えば先行文献１は荷棚の四方に低い立ち上がりが設けられているが、荷棚自体が低い位置にあるので座板との間隔が広く、後方から荷棚に置いた荷物を盗まれやすい上に、椅子を前後に複数列並べたときの間隔が狭い場合は、後ろの座席に座る人にとって、足が荷棚または荷棚に置かれた荷物につかえるので足元が窮屈であり、更にこの荷棚は椅子を折りたたむときは、棚が山形に折れ曲がる構造であるから、連動的には折りたたみにくく、折りたたむ作業が非常に面倒である。
また先行文献２は、椅子の折りたたみ動作に連動して荷棚をたためるが、荷棚に置かれた荷物が側面方向と後面方向に落下しやすく盗難もされやすい。
更に上述する選考文献の荷棚は、何れもワイヤーメッシュによるもので、この方法は荷棚の制作に手間が掛かるし、清掃するときも厄介である。
そこで本発明は上記の課題を解決し、荷棚の構成を極めて簡単にした上で、椅子を開きまた折りたたむときの動作に連動し、且つ棚の両側面と後方面に対する荷物の落下と盗難を防止できる折りたたみ椅子用の荷棚装置を提供することである。
【課題を解決するための手段】
【００６】  本発明は折りたたみ椅子の左右前後の脚に可動状態に係止された座板の下側に、該座板との間に手荷物を載置する区画を確保し且つ前記左右前後の脚間に配設する荷棚と、該荷棚の左右側辺に有する前記左右前後の脚に係わるスライド機構を備えた側部落下防止手段と、前記左右前後の脚に前記スライド機構と合致する係止具を備えている。
【発明の効果】
【００７】  本発明は請求項１及び２によって、折りたたみ椅子の荷棚に手荷物が置け、且つ荷棚が椅子の折りたたみ動作に連動し、また荷棚の両側辺に側部落下防手段及び荷棚の後辺にも後部落下防止手段を設けているので、荷棚に置かれた荷物の落下を防止できる上に、両側方と後方からの盗難をも防止できる。
【図面の簡単な説明】
【００８】
【図１】  実施例１の正面図である。
【図２】  図１のａ−ａ断面図である。
【図３】  実施例２の荷棚部分の斜視図である。
【図４】  実施例３の荷棚部分の斜視図である。
【図５】  図４の正面図である。
【図６】  図５のｂ−ｂ断面図である。
【図７】  左図は図６の座板を約７０°までたたみ上げた状態の断面図である。右図は左図の折りたたみを完了した状態の断面図である。
【図８】  実施例４の断面図である。
【図９】  実施例５の斜視図である。
【図１０】  実施例６の斜視図である。
【図１１】  左図は実施例７のｃ−ｃ断面図である。右図は左図の折りたたみを完了した状態の断面図である。
【図１２】  実施例８のｄ−ｄ断面図である。
【図１３】  図１２のｅ−ｅ断面図である。
【図１４】  左図は図１２の座板を約７０°までたたみ上げた状態の断面図である。右図は左図の折りたたみを完了した状態の断面図である。
【発明を実施するための形体】
【実施例１】
【００９】  本発明の基本構成である実施例１を図１に基づいて詳細に説明するにあたり、各部の符号の３０番以前が本発明であり、３０番以降は既存の折りたたみ椅子である。
図１は本実施例の使用可能時の正面図であって、一般的な折りたたみ椅子の座板３４の下側に荷棚１を配設し、この荷棚１の両側辺にスライド孔Ａとスライド孔Ｂを形成する側部落下防止体２・２を上方に向けて連設し、この側部落下防止体２・２を係止具Ａ５・５によって前脚３１に係止するとともに係止具Ｂ６・６によって後脚３３に係止している。【０１０】  次に、図２は図１のａ−ａ断面図であって、座板３４は座板支持軸Ａ３５によって前脚３１に軸止し、且つ座板支持軸Ｂ３６は持ち出し片３７を介して後脚３３に取り付けられていて、座板３４の下側に配設する荷棚１の側辺から上方に向けて連接する側部落下防止体２は、前方側の下段に形成するスライド孔Ａ３を係止具Ａ５によって前脚３１に係止し、後方側上段に形成するスライド孔Ｂ４を係止具Ｂ６によって後脚３３に係止している。
そして側部落下防止体２の前側上部を段部７によって高さを低くしていて、これにより当該の椅子を折りたたんだ際に、側部落下防止体２の上端が持ち出し片３７に当接するのを防ぐことができ、また荷棚自体が自重によってスライド孔Ｂ４の長さ分だけ下方に移動するので、荷棚１の先端が座板支持軸Ａ３５に当接を防いでいる。【０１１】  当該折りたたみ椅子をたたむ際は、前脚３１と後脚３３と座板３４と荷棚１のそれぞれの動きの形状が複雑に変化するものであり、荷棚１の先端部分が座板支持軸３５への当接を防ぐ目的で荷棚１の奥行きを短くした場合は、前脚３１と後脚３３が床面を底辺とする三角形を呈していることから、短くした分だけ荷棚１を上方に移動する必要があるので、荷棚の奥行きを短くしても座板支持軸３５への当接を防ぐことはできない。
また、逆に荷棚１の高さを床側に下げたとしても、結局下げた分だけ荷棚１の奥行きが長くなるのでこの問題の解決にはならない。
荷棚１の重量は椅子本体に対してかなり軽いものではあるが、荷棚１と後部落下防止体１１に開口部を多く設けると更に軽くできる。
また、荷棚１の製造方法は、金属板の打ち抜き加工と折り曲げ加工のみで成形できるので、前述の先行文献にあるワイヤーメッシュ式より安価であることは確実である。【０１２】  側部落下防止体２の高さの寸法は、当該折りたたみ椅子をたたんだ状態で、前脚３１の直径と後脚３３の直径と、この前足３１と後脚３３の空き間を足した長さが良く、また−ライド孔Ａ３とスライド孔Ｂ４の平行的間隔の寸法は、前脚の芯から後脚の芯までの空き間を含めた長さが良い。
更に、前脚３１と後脚３３の開き角度と荷棚１の床面からの高さによっては、スライド孔Ｂ４をなくして、係止具Ｂ６の軸止として荷棚１を回動可能状態にしても効果に変わりはない。
【実施例２】
【０１３】  次に本発明の実施例２を図３に基づいて詳細に説明する。
図３は荷棚１を示す斜視図であって、前脚３１・３１と後脚３３・３３に囲まれた部分に配置する荷棚１の両側辺から上方に向けて連接する側部落下防止体２・２は、前側下段に前記前脚３１・３１に設けた係止具Ａ５・５に係わるスライド孔Ａ３・３と、後側上部に後脚３３・３３に軸着部１２・１２を設けて荷棚１を回動可能とし、且つ荷棚１の後辺に後部落下防止体１１を上方に向けて設け、この後部落下防止体１１は上部の両端に摺動部１５・１５を外側に突き出た状態に形成し、下部は前記荷棚１の後辺に開き方向に働くバネ付き蝶着部１４・１４によって常時押上状態の回動可能とし、これによって摺動部１５・１５は後脚３３・３３の前面を上下に摺動可能にしている。
よって当該折りたたみ椅子を折りたたむ際は、前脚３１と後脚３３は互いに並行になりつつ接近するので、係止具Ａ５はスライド孔Ａ３の中を後方に向けて移動し、このとき荷棚１は軸着部１２を芯にして上方に向けて旋回をつづけ、後部落下防止体１１もこれに連動して摺動部１５・１５は僅かに摺動する。
【実施例３】
【０１４】  次に実施例３を図４・図５・図６に基づいて詳細に説明する。
図４は本実施例の荷棚１を示す斜視図であって、前脚３１・３１と後脚３３・３３に囲まれた部分に位置する荷棚１の両側辺に、前記前脚３１・３１に設けた係止具Ａ５・５に係わるスライド孔Ａ３・３と、後脚３３・３３に設けた係止具Ｂ６・６に係わるスライド孔４・４を形成す側部落下防止体を上方に向けて設けている。
更に荷棚１の後辺に設けた後部落下防止体１１は、上部の両端に摺動部１５・１５を形成し、下部は前記荷棚１の後辺にに蝶着部１３・１３によって回動可能とし、摺動部１５・１５は後脚３３・３３にに設けた案内具Ａ１６・１６にそれぞれ嵌め入れている。
この構成によると、当該折りたたみ椅子をたたむ際、前述したようにスライド孔Ｂ４の長さ分だけ荷棚１が自重で下方に移動するので、折りたたみを完了したときに側部落下防止体２・２の先端を座板支持軸Ａ３５から遠さけることができ、また摺動部１５・１５の摺動幅は実施例２より長くなるので、案内具Ａ１６の長さもこれに合わせたものとする。【０１５】  次に図５は本実施例を前方から見た正面図であって、座板３４の下に荷棚１を配設し、この荷棚の両側辺部にスライド孔Ａとスライド孔Ｂを形成する側部落下防止体２・２を上方に向けて連設し、この側部落下防止体２・２を係止具Ａ５・５によって前脚３１に、また係止具Ｂ６・６によって後脚３３にそれぞれ係止している。
更に後部落下防止体１１は、上部の両端に摺動部１５・１５を形成して後脚３３・３３に設けた案内具１６・１６に嵌め入れ、下部は荷棚１の後辺に蝶着部１３・１３によって回動可能としている。【０１６】  次に、図６は図５のｂ−ｂ断面図であって、座板３４は座板支持軸Ａ３５によって前脚３１に、また座板支持軸Ｂ３６によって持ち出し片３７を介して後脚３３付けられ、
そして側部落下防止体２の前側下部に形成するスライド孔Ａ３を係止具Ａ５によって前脚に係止し、また後方上部に形成するスライド孔Ｂ４を係止具Ｂ６によって後脚に係止し、更に後部落下防止体１１は下端を荷棚１に蝶着部１３によって回動を可能にしていて、上端は後脚に設けた案内具Ａ１６に嵌め入れて上下に可動するものとしている。【０１７】  ここで本実施例の使用状態を図６・図７に基づいて順次詳細に述べる。
先ず、図６は当該折りたたみ椅子を使用できる状態であって、荷棚１は床面と平行に保たれている。
次に図７の左図は、図６の状態から座板３４を約７０°たたみ上げたときの状態を示している。
次に、図７の右図は折りたたみを完了した状態であって、前脚３１と荷棚１は密着し、折りたたんだ状態での椅子の厚さは従来のものとほぼ同じであって、椅子の持ち運びや収納についてもこれまでと変わらない。
【実施例４】
【０１８】  次に本発明の実施例４を図８に基づいて詳細に説明する。
左右の前脚３１・３１の対向する位置に突起部２１・２１を設け、更に左右の後脚３３・３３の対向する位置にも突起部２１・２１を設け、これら突起部に合致する案内溝２２を側部落下防止体２・２に設けたもので、この方法によると、荷棚に置いた荷物に突起部２１・２１の先端が接触するのを防げる。
【実施例５】
【０１９】  次に本発明の実施例５を図９に基づいて詳細に説明する。
荷棚１と側部落下防止体２・２は前述する実施例２と同じであるが、異なる点は後部落下防止体１１と荷棚１と側部落下防止体２・２を一体に構成していることである。
この荷棚１の構成による当該折りたたみ椅子をたたむ際に、荷棚１は軸着部１２を芯にして上方に旋回したときに側部落下防止体２の先端が座板支持軸３５Ａに当接するので、段部７・７から先端側の高さが低いほど折りたたみを完了したときに、荷棚１を前脚３１により近づけることができる。
このことは前述の実施例２にも共通することである。
この構成によると、後部落下防止体の高さは実施例２より低いがそれなりの効果が得られる上に、部品点数を少なくできるので安価に制作できる。
【実施例６】
【０２０】  次に本発明の実施例６を図１０に基づいて詳細に説明する。
この実施例は前述する実施例とは異なり、後部落下防止体１９は荷棚１とは係わりなく独立し、後脚３３・３３の間の適宜位置に固着するもので、この後部落下防止体１９の大きさと形状は所要に応じて変更できるので、後方からの盗難を防止できる効果は大きい。
また、この実施例と前述する他の実施例とを併用することも可能である。【０２１】  次に本発明の実施例７を図１１に基づいて詳細に説明する。
図１１の左図は当該折りたたみ椅子のｃ−ｃ断面図であって、これまでの実施例では側部落下防止体２・２に設けていた下段のスライド孔に代えて、前脚３１に係わる軸着部８とし、また上段のスライド孔Ｂ４を前方へ延長するとともに、実施例６の後部落下防止体１９をも同時に備えている。
この実施例の当該折りたたみを椅子をたたむ際は、前述の実施例と同じく座板３４の先端を上方に持ち上げてゆくと、前脚３１と後脚３３は互いに平行になりつつ接近し、荷棚１は軸着部８を芯にして下方に旋回しながら、係止具６もスライド孔Ｂ４を前方に移動してゆく。
右図は折りたたみを完了した状態を示していて、荷棚１は座板３４の下側の前脚３１・３１と後脚３３・３３の間に収まり、このとき後部落下防止体１９は荷棚１及び座板３４と干渉することはない。【０２２】  次に本発明の実施例８を図１２・図１３・図１４に基づいて詳細に説明する。
先ず図１２はこの実施例のｄ−ｄ断面であって，側部落下防止体２は前脚３１に軸着部８によって回動可能とし、後部の軸着部１８は後部落下防止体２０両側片の中央に軸着部１８によって軸着し、更に後脚３３に後部落下防止体２０を誘導するための案内具Ｂ１７を設けている。【０２３】  次に図１３は図１２のｅ−ｅ断面図であって、後部落下防止体２０を正面から見ていて、この後部落下防止体２０の両側の中央を側部落下防止体２・２の上部に軸着部１８によって回動可能とし、更に後部落下防止体２０の両端上下の四箇所に摺動部１５を設けて、この摺動分１５を後脚３３の内側に対向して備えた案内具Ｂ１７に嵌め入れている。【０２２】  次に図１４の左図は当該折りたたみ椅子を約７０°までたたみ上げた状態を示していて、側部落下防止体２は軸着部８を芯にして下方に旋回し、これに連動して後部落下防止体２０も軸着部１８によって回転しながら案内具Ｂ１７の中を下方に移動してゆく。
右図は折りたたみを完了した状態を示していて、荷棚１は座板３４の下側の前脚３１・３１と後脚３３・３３の間に収まる。
【符号の説明】
【０２３】  １：荷棚                  ２：側部落下防止体          ３：スライド孔Ａ
４：スライド孔Ｂ          ５：係止具Ａ                ６：係止具Ｂ
７：段部                  ８：軸着部                  ９：折り返し
１１：後部落下防止体      １２：軸着部                １３：蝶着部
１４：バネ付き蝶着部      １５：摺動部                １６：案内具Ａ
１７：案内具Ｂ            １８：軸着部                １９：後部落下防止体
２０：後部落下防止体      ２１：案内凸部              ２２：案内溝
３１：前脚                ３２：背もたれ              ３３：後脚
３４：座板                ３５：座板支持軸Ａ          ３６：座板支持軸Ｂ
３７：持ち出し片
【図１】
2018069010.tif 000003
【図２】
2018069010.tif 000004
【図３】
2018069010.tif 000005
【図４】
2018069010.tif 000006
【図５】
2018069010.tif 000007
【図６】
2018069010.tif 000008
【図７】
2018069010.tif 000009
【図８】
2018069010.tif 000010
【図９】
2018069010.tif 000011
【図１０】
2018069010.tif 000012
【図１１】
2018069010.tif 000013
【図１２】
2018069010.tif 000014
【図１３】
2018069010.tif 000015
【図１４】
2018069010.tif 000016
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
折りたたみ椅子の左右前後の脚に可動状態に係止された座板の下側に、該座板との間に手荷物を載置する区画を確保し且つ前記左右前後の脚間に配設する荷棚と、
該荷棚の左右側辺に有する前記左右前後の脚に係わるスライド機構を備えた側部落下防止手段と、
前記左右前後の脚に、前記スライド機構と合致する係止具を備えた折りたたみ椅子用荷棚装置。
【請求項２】
折りたたみ椅子の左右前後の脚に可動状態に係止された座板の下側に、該座板との間に手荷物を載置する区画を確保し且つ前記左右前後の脚間に配設する荷棚と、
該荷棚の左右側辺に有する前記左右前後の脚に係わるスライド機構を備えた側部落下防止手段と、
前記左右前後の脚のそれぞれに備えた前記スライド機構と合致する係止具と、
前記荷棚の後辺に後部落下防止手段を備えた折りたたみ椅子用荷棚装置。
【請求項３】
前記スライド機構は、側部落下防止体に形成した長孔と、該長孔に合致する前記左右前後の脚に備えた係止具である請求項１又は２に記載の折りたたみ椅子用荷棚装置。
【請求項４】
前記スライド機構は、上段のみを長孔とし下段は前記前脚に軸着、または下段のみを長孔とし上段は前記後脚に軸着とする請求項１から３のいずれかに記載の折りたたみ椅子用荷棚装置。
【請求項５】
折りたたみ椅子の左右前後の脚に可動状態に係止された座板の下側に、該座板との間に手荷物を載置する区画を確保し且つ前記左右前後の脚間に配設する荷棚と、
該荷棚の左右側辺に有する前記左右前後の脚に係わるスライド機構を備えた側部落下防止手段と、
前記左右前後の脚に、前記スライド機構と合致する係止具を備えたことと、
前記左右の後脚の間に、前記荷棚と別体の後部落下防止手段を備えた折りたたみ椅子用荷棚装置。
【請求項６】
前記スライド機構は、側部落下防止体に形成した長孔と、該長孔に合致する前記左右前後の脚に備えた係止具である請求項５に記載の折りたたみ椅子用荷棚装置。
【請求項７】
前記スライド機構は、上段のみを長孔とし下段は前記前脚に軸着、または下段のみを長孔とし上段は前記後脚に軸着とする請求項５又は６に記載の折りたたみ椅子用荷棚装置。